(57)【特許請求の範囲】
【請求項１】
画像情報に応じて変調された光束を被投射面上に投射する光学ユニットと、
電子部品が実装された基板と、
該基板ならびに前記光学ユニットを収容する外装筺体とを備え、
該外装筺体には、その厚さ方向一側に天面部、他側に底面部がそれぞれ設けられ、
前記天面部には、前記外装筺体の厚さ方向に対して傾斜する傾斜面が形成され、
前記傾斜面と略同一方向に傾斜して前記基板が配置され、
前記基板には、外部接続用の複数の端子が取り付けられていることを特徴とするプロジェクター。
【請求項２】
前記光学ユニットは、入射された前記光束を反射させて当該光束を前記被投射面に投射させる反射部材を備え、
前記天面部は、前記外装筺体の厚さ方向において最も外側となる最外側位置よりも前記底面部側に、前記反射部材により反射された前記光束を通過させるための開口部を備え、
前記傾斜面は、前記光束の投射方向に向かうほど前記底面部から離れるように傾斜する請求項１に記載のプロジェクター。
【請求項３】
前記基板は、機能毎に複数枚形成され、重ねて配置されている請求項１又は２に記載のプロジェクター。
【請求項４】
前記外部接続用の複数の端子が配置されるインターフェース部を備え、該インターフェース部には段差が形成される請求項１乃至３の何れか一項に記載のプロジェクター。
【請求項５】
前記基板に向かって送風する冷却機構を備える請求項１乃至４の何れか一項に記載のプロジェクター。
【発明の詳細な説明】
【技術分野】
【０００１】
本発明は、プロジェクターに関するものである。
【背景技術】
【０００２】
画像情報に応じた画像をスクリーンなどの被投射面上に投射する光学ユニットと、この光学ユニットを内部に収容する外装筺体とを備えたプロジェクターにおいて、プロジェクターと被投射面との距離を短縮するべく、反射部材により画像を反射させてから画像光を投射させるいわゆる超短焦点タイプのプロジェクターが知られている（例えば、特許文献１参照）。
このプロジェクターの外装筺体は、投射方向からみて、左右方向に延びる略Ｖ字断面の凹部を備えており、この凹部の背面側の第１傾斜面に開口部が形成され、この開口部を介して画像光が斜め前方に向かって投射される。そして、上記凹部の前面側には、画像光を避けるために第１傾斜面とは反対方向に傾斜する第２傾斜面が形成されている。
【先行技術文献】
【特許文献】
【０００３】
【特許文献１】特開２０１１−２６５０号公報
【発明の概要】
【発明が解決しようとする課題】
【０００４】
上述の超短焦点タイプのプロジェクターは、被投射面の直上の壁などに固定される金具を介して天井下に設置したり、スクリーン直近のフロア上に設置して使用できることから、被投射面に人物の影が映るのを防止でき、さらに、スクリーンの前で説明する人の目に投射光が入りまぶしいと感じることが無いという利点があり好評を得ている。
ところで、上記プロジェクターにあっては、設置自由度の更なる向上が望まれている。このプロジェクターの場合、天井下や床上などに設置されることから、設置スペースを小さくするためには外装筺体の平面サイズを小型化する必要がある。
【０００５】
本発明は、上記従来技術の問題点に鑑み成されたものであって、外装筺体の平面サイズを小型化して設置自由度を高めることができるプロジェクターを提供することを目的の一つとしている。
【課題を解決するための手段】
【０００６】
本発明のプロジェクターは、上記課題を解決するために、画像情報に応じて変調された光束を被投射面上に投射する光学ユニットと、電子部品が実装された基板と、該基板ならびに前記光学ユニットを収容する外装筺体とを備え、該外装筺体には、厚さ方向一側に天面部、他側に底面部がそれぞれ設けられ、前記天面部には、前記外装筺体の厚さ方向に対して傾斜する傾斜面が形成され、前記傾斜面と略同一方向に傾斜して前記基板が配置されていることを特徴としている。
【０００７】
本発明によれば、基板を傾斜させない場合と比較して、基板の傾斜分だけ外装筺体の平面サイズを小型化することができる。また、基板を傾斜面と略同一方向に傾斜して配置していることで、外装筺体内部の厚さ方向のスペースを広く利用でき、光学ユニットなど大型部品の収容スペースを確保できるため、外装筺体の厚さ寸法が増大するのを抑制することができる。したがって、外装筺体の平面サイズを小型化して設置自由度を高めることができる。
【０００８】
また、前記光学ユニットは、入射された前記光束を反射させて当該光束を前記被投射面に投射させる反射部材を備え、前記天面部は、前記外装筺体の厚さ方向において最も外側となる最外側位置よりも前記底面部側に、前記反射部材により反射された前記光束を通過させるための開口部を備え、前記傾斜面は、前記画像の投射方向に向かうほど前記底面部から離れるように傾斜していることが好ましい。
本発明によれば、とりわけ外装筺体が、その厚さ方向の最外側位置よりも底面部側に光束を通過させるための開口部を備え、傾斜面が、光束の投射方向に位置し、投射方向に向かうほど底面部から離れるように傾斜している場合のように、傾斜面によって外装筺体内部の厚さ方向のスペースが制約される場合であっても、基板を傾斜面の傾斜方向と略同一方向に傾斜させることで、外装筺体の厚さ方向の内部スペースを確保しつつ、外装筺体の平面サイズを小型化することができる。
【０００９】
また、前記基板は、機能毎に複数枚形成され、重ねて配置されていることが好ましい。
本発明によれば、機能ごとに基板を形成し、これら機能毎の基板を重ねていることで、複数の機能を一枚の基板にまとめている場合と比較して、基板自体の長さ寸法を短縮化することができるため、外装筺体の平面サイズをさらに小型化することができる。さらに、機能ごとに基板が形成されるので、基板同士の接続を簡素化することができる。
【００１０】
また、前記基板には、外部接続用の複数の端子が取り付けられていることが好ましい。
本発明によれば、基板に対して端子が取り付けられていることで、端子も光学ユニットに対して傾斜配置されるため、例えば、外装筺体の限られたスペース内に、複数の端子を配列することができる。
【００１１】
また、前記外部接続用の複数の端子が配置されるインターフェース部を備え、該インターフェース部には段差が形成されることが好ましい。
本発明によれば、例えば、ケーブル類が挿通される開口部がユーザから見えない底面部側に開口している場合に、端子に接続されるケーブルを湾曲させる場合があるが、開口部に近い位置の端子を段差により開口部から離間させることができるため、開口部に近い端子に接続されるケーブル類の曲げ半径を緩和して負担軽減を図ることができる。
【００１２】
また、前記基板に向かって送風する冷却機構を備えることが好ましい。
本発明によれば、冷却機構より送風された冷却風が、傾斜された基板に吹き付けられることで、基板に対して垂直に冷却風が吹き付けられる場合よりも、基板の傾斜方向に冷却風を円滑に逃がすことができるため、冷却効率の損失を抑制することができる。さらに、基板の傾斜方向に冷却風を送り外装筺体内部における空気の滞留を防止できるため冷却効率を高めることができる。
【図面の簡単な説明】
【００１３】
【図１】本実施形態に係るプロジェクターの使用例を示す図である。
【図２】上記プロジェクターを天面部側の前方から見た斜視図である。
【図３】上記プロジェクターを天面部側の後方から見た斜視図である。
【図４】上記プロジェクターを底面部側の後方から見た斜視図である。
【図５】上記プロジェクターのカバー部材を取り外した状態の斜視図である。
【図６】筺体本体部に収容される光学ユニットを後面部側からみた分解斜視図である。
【図７】上記光学ユニットの投射光学装置の内部構成を模式的に示す断面図である。
【図８】上記外装筺体の内部を天面部側から見た上面図である。
【図９】基板の取り付け状態を示す側面図である。
【図１０】基板を底面部側から見た斜視図である。
【図１１】カバー部材を外した状態の外装筺体の右側面図である。
【図１２】基板を右側面部側から見た側面図である。
【図１３】基板を、天面部側、且つ、右側面部側から見た斜視図である。
【発明を実施するための形態】
【００１４】
以下、本発明の実施形態につき、図面を参照して説明する。なお、以下の説明に用いる各図面では、各部材を認識可能な大きさとするため、各部材の縮尺を適宜変更している。また、以下で用いる図面において、矢印ＦＲはプロジェクター１の前方を示し、矢印ＵＰはプロジェクター１の上方を示し、矢印ＲＨはプロジェクター１の右方を示している。
【００１５】
図１は、本実施形態に係るプロジェクター１の使用例を示す図である。
プロジェクター１は、スクリーン等の被投射面ＳＣに光束ＰＬを照射することで、ＰＣ（Personal Computer）などから受信される画像情報に応じた画像を被投射面ＳＣに投影する。
図１に示すように、プロジェクター１は、例えば、その天面部１１を下方に向けた状態で、天面部１１とは反対側の底面部１２が、被投射面ＳＣの上方の壁面Ｈから水平方向に延びる金具２に支持されている。金具２は、壁面Ｈから離間・接近する方向に伸縮可能なアーム部２ａを有しており、当該アーム部２ａの伸縮により壁面Ｈからプロジェクター１までの距離が調整可能になっている。なお、プロジェクター１は、天面部１１を上方に向けた状態で床面に載置して被投射面ＳＣに画像を投影することも可能である。
【００１６】
図２は、プロジェクター１を天面部１１側の前方から見た斜視図であり、図３は、プロジェクター１を天面部１１側の後方から見た斜視図である。さらに図４は、プロジェクター１を底面部１２側の後方から見た斜視図である。
プロジェクター１は、その外装を構成する例えば合成樹脂製の外装筺体３を備える。外装筺体３は、その厚さ方向一側である上側に天面部１１、他側である下側に底面部１２を有している。また、外装筺体１は、その幅方向一側である左側に左側面部１３、他側である右側に右側面部１４を備え、前後方向の一側である前側に前面部１５、他側である後側に後面部１６を有している。なお、前後方向は、プロジェクター１が金具２により被投射面ＳＣに対して離間および近接される方向である。
【００１７】
天面部１１には、前後方向中央よりも後面部１６側に、幅方向に延びる断面略Ｖ字状の凹部１７が形成されている。凹部１７は、後方に配置される第１傾斜面１８及び、前方に配置される第２傾斜面（傾斜面）１９を有している。さらに天面部１１には、後面部１６から第１傾斜面１８に至る範囲内の右側に操作パネル２５が設けられている。この操作パネル２５には、プロジェクター１を操作するための複数のキーが配設されている。
【００１８】
第１傾斜面１８には、その左側面部１３側に、後述する光学ユニット５０の反射部材５９により反射された画像すなわち光束ＰＬを通過させるための開口部２１が形成されている。この開口部２１は、外装筺体３の厚さ方向で最も外側となる最外側位置３ａ（図１１参照）よりも底面部１２側に配置されており、開口部２１の周縁は、外装筺体３の内側に向かって傾斜して形成されている。開口部２１を通過した光束ＰＬは、外装筺体３の後方側から前方側斜め上方に向かって投射される。なお、第１傾斜面１８には、ユーザが操作するレーザーポインタ（図示せず）の動きなどを検出するカメラ２３が配置される第２開口部２４が上述した開口部２１の右側に形成される。プロジェクター１は、カメラ２３の撮像結果に基づきレーザーポインタの軌跡を示す線などを被投射面ＳＣに投影される画像上に重ねて表示する機能を有している。
【００１９】
第２傾斜面１９は、上述した開口部２１から投射される光束ＰＬを避けるための傾斜面であって、開口部２１よりも光束ＰＬの投射方向に位置し外装筺体３の厚さ方向に対して傾斜して形成されている。より具体的には、第２傾斜面１９は、その後縁が上述した第１傾斜面１８の最も底面部１２側の下縁に接続され、光束ＰＬの投射方向に向かうほど底面部１２から離れるように傾斜して形成されている。
【００２０】
左側面部１３には、複数のスリット状の開口部３１が略矩形の範囲に配列された第１吸気口３２ならびに第２吸気口３３が前後方向に並んで形成されている。第１吸気口３２は、第２傾斜面１９の側方に位置し、第２吸気口３３は、第１吸気口３２よりも前方側で且つ、第１吸気口３２よりもやや天面部１１側にずれて配置されている。これら第１吸気口３２および第２吸気口３３にはそれぞれエアフィルター（図示せず）と吸気ファンＦ（図８参照）とが取り付けられている。吸気ファンＦには吸気ダクトＤ（図６参照）が取り付けられており、この吸気ダクトＤの噴出口が後述する光学ユニット５０の各液晶ライトバルブ（図示せず）の下方にて上方を向いて開口される。これにより、吸気ダクトＤを通じて供給される冷却風は、各液晶ライトバルブの下方から上方に向かって噴出されることとなる。これら吸気ファンＦおよび吸気ダクトＤを含み光変調装置５２の冷却機構が構成される。なお、第１吸気口３２の上方で且つ第２吸気口３３の後方側のスペースには、吸気口開閉レバー３４が配設されている。
【００２１】
右側面部１４には、上記第１吸気口３２および第２吸気口３３に略対向する位置、換言すれば、後述する光学ユニット５０の光源装置５１の光軸後方の位置に、複数のスリット状の開口部３５が略矩形の範囲に配列された排気口３６が形成される。この排気口３６には、外装筺体３内部に取り込まれた冷却空気を一括排気する排気ファンユニット５４（図６、図８参照）が取り付けられている。
上記構成によれば、第１吸気口３２および第２吸気口３３からエアフィルターを介して吸気ファンＦにより取り込まれた冷却空気によって光学ユニット５０の光変調装置５２を構成するＲＧＢ毎の液晶ライトバルブ等を冷却することができ、さらに冷却に供された冷却空気を排気ファンユニット５４により排気口３６から外装筺体３の外部に排出することができる。
【００２２】
後面部１６には、上記操作パネル２５の底面部１２側の後方位置に、複数の丸孔３７が略矩形の範囲に配列されたスピーカー用のメッシュ部３８が形成されている。このメッシュ部３８の内部には、スピーカーユニットＳ（図８参照）が配置され、このメッシュ部３８を介してスピーカーユニットＳからの音声出力が外装筺体３の外部へと伝達されるようになっている。
【００２３】
底面部１２には、複数のボス３９が形成されている。これらボス３９は、金具２のアーム部２ａの複数の取付座（図示せず）にそれぞれ対向する位置に配置され、ボス３９にアーム部２ａの取付座を当接させてビス等で締結することで、プロジェクター１が金具２を介して壁面Ｈに支持されていわゆる壁掛け状態又は天吊り状態とすることができる。さらに底面部１２には、その前面部１５側に、メンテナンス用の蓋体４０が着脱可能に取り付けられている。この蓋体４０は、底面部１２から下方に突出して形成されており、この突出する部分は、プロジェクター１が金具２に支持される箇所を避けて当該箇所よりも前面部１５側に配置されている。蓋体４０の突出する部分は、プロジェクター１が金具２に支持された状態において、金具２と底面部１２との間に生じる隙間に配置され、上記隙間を有効利用することが可能となっている（図１参照）。なお、この蓋体４０は、水平面４１を有しており、プロジェクター１を床面に載置して使用する際に、底面部１２の前方側の凸部４２とともに外装筺体３を下方から支持する脚部として機能する。
【００２４】
図５は、プロジェクター１のカバー部材４３を取り外した状態の斜視図である。
図５に示すように、外装筺体３は、第１傾斜面１８の右側の一部を構成する壁部４３ａと、第２傾斜面１９の右側の一部を構成する壁部４３ｂと、右側面部１４の排気口３６よりも後方側の一部を構成する壁部４３ｃとを有するカバー部材４３を着脱可能に備えている。このカバー部材４３は、外装筺体３の筺体本体部４４に対して側方から着脱可能とされる。壁部４３ｃに対向する筺体本体部４４の側面には複数の外部端子を備えたインターフェース部４６が配設され、カバー部材４３の底面部１２側には、インターフェース部４６に接続されるケーブルを挿通するための底部開口部４５が形成されている。
【００２５】
図６は、プロジェクター１の筺体本体部４４に収容される光学ユニット５０を後面部１６側からみた分解斜視図である。
図６に示すように、光学ユニット５０は、プロジェクター１の装置本体を構成し、上下分割可能な筺体本体部４４の内部に収容される。装置本体は、光学ユニット５０の他、吸気ファンＦなどを有する冷却機構、光学ユニット５０や冷却機構などに電力を供給する電源ユニット６６（図８参照）、および、これら光学ユニット５０、電源ユニット、冷却機構の駆動制御を行う制御ユニット（後述する）などを備えて構成される。
【００２６】
光学ユニット５０は、光束ＰＬを射出する光源装置５１と、この光源装置５１から射出された光束ＰＬを外部から入力される画像情報に応じて変調する液晶ライトバルブ等を備える光変調装置５２と、この光変調装置５２により変調された光束ＰＬを被投射面ＳＣに投射する投射光学装置５３等を備えて構成される。
ここで、外装筺体３の前後方向一側である前面部１５側には、外装筺体３の幅方向一側である右側面部１４側に光源装置５１が配置されるとともに、幅方向他側である左側面部１３側に光変調装置５２が配置され、さらに、外装筺体３の幅方向他側である左側面部１３側には、投射光学装置５３が前後方向に延在して配置される。つまり、光学ユニット５０は、天面部１１あるいは底面部１２側から見て略Ｌ字状に形成されている。なお、図６では、筺体本体部４４のロアケースのみを示している。
【００２７】
図７は、光学ユニット５０の投射光学装置５３の内部構成を模式的に示す断面図である。
図７に示すように、投射光学装置５３は、光変調装置５２を介した光源装置５１からの光束ＰＬが入射される複数のレンズ５８と、レンズ５８からの光束ＰＬを反射する反射面５９Ａを有する反射部材５９と、レンズ５８及び反射部材５９を収容する収容部材６０とを有する。
反射面５９Ａは、凹面を含み、反射部材５９は、非球面ミラーである（以下、反射部材５９を適宜、非球面ミラー５９と称する）。反射面５９Ａは、回転対称でない自由曲面形状の反射面であり、非球面ミラー５９は、投射光学装置５３における光路最下流において、反射面５９Ａが斜め上方を向くように配置される。非球面ミラー５９は、複数のレンズ５８により導かれた光束ＰＬを反射して、図７中の斜め上方側に折り返すとともに広角化する。
【００２８】
投射開口部６１及び開口部２１は、収容部材６０の上方側に配置され、非球面ミラー５９で反射した光束ＰＬを通過させることができる。投射光学装置５３は、非球面ミラー５９で反射した光束ＰＬが、収容部材６０の上方側において投射開口部６１及び開口部２１を通過できるように、外装筺体３の内部に設置される。非球面ミラー５９（反射面５９Ａ）は、レンズ５８からの光束ＰＬを反射して、投射開口部６１及び開口部２１へ導く。投射開口部６１は、光束ＰＬを透過可能な透過部材２２により閉塞されている。反射部材５９からの光束ＰＬは、投射開口部６１の透過部材２２を通過した後、開口部２１を通過して、外装筺体３の外部空間に射出される。
投射開口部６１は、非球面ミラー５９の反射面５９Ａで反射した光束ＰＬが集光する集光点Ｐの近傍に形成され、これにより投射開口部６１の面積を小さくすることが可能となっている。
【００２９】
図８は、外装筺体３の内部を天面部１１側から見た上面図であり、図９は、制御ユニットを構成する基板６５の取り付け状態を示す側面図である。さらに、図１０は、制御ユニットを構成する基板６５を底面部１２側から見た斜視図である。
図８、図９に示すように、外装筺体３の内部には、プロジェクター１の動作を制御する制御ユニット６６が収容されている。制御ユニット６６は、各種電子部品を搭載した基板６５を備えて構成されている。基板６５は、天面部１１側から見て、光学ユニット５０の光変調装置５２を覆うように配設されている。
【００３０】
図１２を併せて参照し、基板６５は、光学ユニット５０の延在方向、より具体的には、投射光学装置５３の延在方向に対して、上述した外装筺体３の第２傾斜面１９と略同一方向に所定角度θだけ傾斜して配設されている。基板６５の傾斜角度は、第２傾斜面１９の傾斜角度に対してやや水平方向にずれた角度に設定されている。このように第２傾斜面１９の傾斜角度に対してやや水平方向にずれた角度に設定することで、第２傾斜面１９と第１傾斜面１８との境界部分の下方の位置から、第２傾斜面１９よりも後面部１６側の位置まで、基板６５を延在させることができる。
【００３１】
基板６５は、機能ごとの複数の基板、より具体的には、上述した冷却機構や電源ユニットなどを駆動制御するメイン基板６５ａと、光学ユニット５０の光変調装置５２を主に駆動制御するドライバー基板６５ｂとを備えて構成されている。これらメイン基板６５ａとドライバー基板６５ｂとは、光学ユニット５０の天面部１１側の空間で、メイン基板６５ａが天面部１１側、ドライバー基板６５ｂが光学ユニット５０側に位置するように重ねて配設されている。これらメイン基板６５ａとドライバー基板６５ｂとは、それぞれコネクタ（ＢｔｏＢコネクタ）６６ａにより接続されている。
【００３２】
メイン基板６５ａは、投射光学装置５３の右側面部側に延出形成されたＩＦボード部６５ｃを有している。図１０に示すように、ＩＦボード部６５ｃの下面には、前方側から順に、外部接続用の端子であるＨＤＭＩ端子６７ａ、ＵＳＢ−Ｂ端子６７ｂ、ＵＳＢ−Ａ端子６７ｃ、および、ＬＡＮ端子６７ｄがそれぞれ直接的に実装されている。このように、ＨＤＭＩ端子６７ａ、ＵＳＢ−Ｂ端子６７ｂ、ＵＳＢ−Ａ端子６７ｃ、および、ＬＡＮ端子６７ｄなど、画像情報や制御情報などを外部と通信する端子がメイン基板６５ａに直接的に実装されていることで通信の信頼性が向上されている。
ＨＤＭＩ端子６７ａ、ＵＳＢ−Ｂ端子６７ｂ、ＵＳＢ−Ａ端子６７ｃ、および、ＬＡＮ端子６７ｄがメイン基板６５ａのＩＦボード部６５ｃに直接的に取り付けられることで、ＨＤＭＩ端子６７ａ、ＵＳＢ−Ｂ端子６７ｂ、ＵＳＢ−Ａ端子６７ｃ、および、ＬＡＮ端子６７ｄは、メイン基板６５ａの傾斜に合わせて外装筺体３の前後方向に対して傾斜して配列されている。
【００３３】
メイン基板６５ａには、ドライバー基板６５ｂが重ねられる下面側の周縁に、基板６５を外装筺体３に固定するための金具６８が取り付けられている。この金具６８は、ドライバー基板６５ｂの左右および前方を囲むように形成され、基板６５が光学ユニット５０に対して傾斜した状態で水平面となる座面、すなわち外装筺体３の前後方向および幅方向に平行な座面を有した複数の取り付け座６９を有している。
【００３４】
上記構成によれば、ドライバー基板６５ｂが光変調装置５２の直上に配設されるため、ドライバー基板６５ｂから光変調装置５２に接続される配線を短くすることができ、この結果、画像情報などの信号にノイズ等が重畳されるのを抑制することができる。また、傾斜配置された基板６５が光学ユニット５０の光変調装置５２の天面部１１側に配置されることで、第１吸気口３２および第２吸気口３３から取り込まれた冷却風が光変調装置５２を冷却した後、光変調装置５２の液晶ライトバルブの上方に配置された基板６５に当たるので、この基板６５の傾斜に沿って冷却風を円滑に逃がすことが可能となる。
【００３５】
図１１は、カバー部材４３を外した状態の外装筺体３の右側面図であり、図１２は、基板６５を右側面部１４側から見た側面図である。さらに図１３は、基板６５を、天面部１１側、且つ、右側面部１４側から見た斜視図である。
図１１に示すように、カバー部材４３を外した状態において、インターフェース部４６には、右側面部１４側から見た正面側にのみ複数の外部接続用の端子が配置される。これら外部接続用の端子は、上述した基板６５のＩＦボード部６５ｃに直接的に接続されているＨＤＭＩ端子６７ａ、ＵＳＢ−Ｂ端子６７ｂ、ＵＳＢ−Ａ端子６７ｃ、および、ＬＡＮ端子６７ｄ（以下、単に第１端子群７１と称す）の他に、Ｄ−ＳＵＢ端子７２ａ、ＲＣＡ端子７２ｂ、Ｓ端子７２ｃ、フォーン端子７２ｄを有する第２端子群７３を備えて構成されている。
図１２に示すように、メイン基板６５ａのＩＦボード部６５ｃには、拡張基板６５ｄが垂下して接続され、この拡張基板６５ｄの右側面部１４側に、上記第２端子群７３が直接的に取り付けられている。
【００３６】
図１３に示すように、拡張基板６５ｄは、第１端子群７１よりも、外装筺体３の幅方向中央側の位置でＩＦボード部６５ｃに接続され、第１端子群７１よりも第２端子群７３が幅方向の中央側にずれて（引っ込んで）配置される。つまり、インターフェース部４６には、第１端子群７１と第２端子群７３との間に段差が形成されている。また、第１端子群７１および第２端子群７３には各端子の周囲を囲う化粧板７４、７５が配設されており、化粧板７４よりも化粧板７５が幅方向の中央側にずれて配設されている。つまり化粧板７４と化粧板７５との間にも段差が形成されている。そして、第１端子群７１によりも幅方向の中央側にずれて配置される第２端子群７３は、外装筺体３の厚さ方向において、第１端子群７１よりもカバー部材４３の底部開口部４５に近い側に配置されている。
【００３７】
以上説明した本実施形態のプロジェクター１によれば、基板６５を傾斜させない場合と比較して、基板６５の傾斜分だけ天面部１１側から見た平面サイズより具体的には、前後方向の長さ寸法Ｌ１（図１２参照）を小型化することができる。
また、基板６５を第２傾斜面１９と略同一方向に傾斜して配置していることで、外装筺体３内部の厚さ方向のスペースを広く利用でき、基板６５を傾斜させない場合と比較して、光学ユニット５０など大型部品の収容スペースを確保できるため、外装筺体３の厚さ寸法が増大するのを抑制することができる。そしてこの結果、外装筺体３の小型化を図り設置自由度を高めることができる。
【００３８】
そして、とりわけ外装筺体３が、その厚さ方向の最外側位置３ａよりも底面部１２側に画像（光束ＰＬ）を通過させるための開口部２１を備え、第２傾斜面１９が、光束ＰＬの投射方向に位置し、投射方向に向かうほど底面部１２から離れるように傾斜している場合のように、第２傾斜面１９により外装筺体３内部の厚さ方向のスペースが制約されている場合であっても、基板６５を第２傾斜面１９の傾斜方向と略同一方向に傾斜させることで、外装筺体３の厚さ方向の内部スペースを確保しつつ、天面部１１側から見た外装筺体３の平面サイズを小型化することができる。
【００３９】
さらに、機能毎のメイン基板６５ａならびにドライバー基板６５ｂを重ねて配置することで、複数の機能を一枚の基板６５にまとめている場合と比較して、基板自体の長さ寸法を短縮化することができるため、天面部１１側から見た外装筺体３の平面サイズを小型化することができる。
また、機能ごとのメイン基板６５ａ、ドライバー基板６５ｂが形成されることで、基板同士の接続を簡素化することができる。
【００４０】
さらに、基板６５のＩＦボード部６５ｃに対して第１端子群７１が取り付けられていることで、第１端子群７１も光学ユニット５０に対して傾斜配置され、外装筺体３の限られた前後方向のスペース（図１２に示す長さ寸法Ｌ２）内に、複数の端子を配列することができる。
【００４１】
さらに、冷却機構より送風される冷却風が、傾斜配置された基板６５に吹き付けられることで、基板６５に対して垂直に風が吹き付けられる場合よりも、基板６５の傾斜方向上方に向かって冷却風を円滑に逃がすことができるため、冷却効率の損失を抑制することができる。さらに、外装筺体３内部の上層にまで風を送り高温の空気の滞留を防止できるため、外装筺体３内部の冷却効率を高めることができる。
【００４２】
さらに、ケーブル類が挿通される底部開口部４５がユーザから見えない底面部１２側に開口している場合に、端子に接続されるケーブルを湾曲させる場合があるが、底部開口部４５に近い位置の第２端子群７３を段差により底部開口部４５から離間させることができるため、底部開口部４５に近い第２端子群７３に接続されるケーブル類の曲げ半径を緩和して負担軽減を図ることができる。
【００４３】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００４４】
１…プロジェクター、３…外装筺体、１８…第１傾斜面、１９…第２傾斜面、２１…開口部、４６…インターフェース部、５０…光学ユニット、６５…基板、６５ａ…メイン基板、６５ｂ…ドライバー基板、７１…第１端子群、７３…第２端子群、Ｆ…吸気ファン、Ｄ…吸気ダクト、ＳＣ…被投射面
【図１】
0005811681.tif 000002
【図２】
0005811681.tif 000003
【図３】
0005811681.tif 000004
【図４】
0005811681.tif 000005
【図５】
0005811681.tif 000006
【図６】
0005811681.tif 000007
【図７】
0005811681.tif 000008
【図８】
0005811681.tif 000009
【図９】
0005811681.tif 000010
【図１０】
0005811681.tif 000011
【図１１】
0005811681.tif 000012
【図１２】
0005811681.tif 000013
【図１３】
0005811681.tif 000014